(57)【特許請求の範囲】
【請求項１】
リットル当たり次なる成分：
a. 100〜330 mlのアニオン界面活性剤
b. 50〜180 mlの非イオン性界面活性剤
c. 20〜200 mlのエタノールまたはメチル化スピリットあるいはサイダービネガー
d. 250〜600 mlの脱ミネラル化水
e. 0.01 ml〜4 mlのバニラエッセンスまたはアーモンドエッセンスまたはストロベリーエッセンス
f. 0.01〜1グラムの食品用着色剤 (BP)
g. 0.01〜5グラムのラノリン、または0.5 ml〜15 mlのグリセリン、または0.5 ml〜5 mlのパラフィン油
h. 50〜350グラムの尿素 (N) 46%
i. 5〜60グラムの鉄キレート 13.2%
を含有していることを特徴とする植物活力剤。
【請求項２】
リットル当たり
200 mlのアニオン界面活性剤
100 mlの非イオン性界面活性剤
100 mlのエタノール
0.2 mlのバニラエッセンス
0.075グラムの食品用着色剤 (BP)
0.153グラムのラノリン
220グラムの尿素 (N) 46%
30グラムの鉄キレート 13.2%
を含有している組成物で、且つ、該組成物の残部容積は、脱ミネラル化水により占められているものであることを特徴とする請求項１記載の植物活力剤。
【請求項３】
さらに、20〜150グラムのカリウムを含有することを特徴とする請求項１又は２のいずれか一に記載の植物活力剤。
【請求項４】
さらに、10〜150グラムのリン酸塩を含有することを特徴とする請求項１〜３のいずれか一に記載の植物活力剤。
【請求項５】
さらに、10〜110グラムのマグネシウムを含有することを特徴とする請求項１〜４のいずれか一に記載の植物活力剤。
【請求項６】
さらに、0.5〜1グラムのマンガンを含有することを特徴とする請求項１〜５のいずれか一に記載の植物活力剤。
【請求項７】
さらに、0.5〜1グラムのホウ素を含有することを特徴とする請求項１〜６のいずれか一に記載の植物活力剤。
【請求項８】
さらに、0.2〜0.5グラムのモリブデンを含有することを特徴とする請求項１〜７のいずれか一に記載の植物活力剤。
【請求項９】
さらに、0.2〜0.5グラムの亜鉛を含有することを特徴とする請求項１〜８のいずれか一に記載の植物活力剤。
【請求項１０】
さらに、1〜3グラムの銅を含有することを特徴とする請求項１〜９のいずれか一に記載の植物活力剤。
【請求項１１】
さらに、0.1〜0.5グラムのコバルトを含有することを特徴とする請求項１〜１０のいずれか一に記載の植物活力剤。
【請求項１２】
さらに、リットル当たり5〜40ミリモルのo-アセトキシ安息香酸を含有することを特徴とする請求項１〜１１のいずれか一に記載の植物活力剤。
【請求項１３】
コナジラミ、アブラムシ類、コナカイガラムシ、カイガラムシ類、ヨコバイまたはアザミウマを制御するために使用されることを特徴とする請求項１〜１２のいずれか一に記載の植物活力剤。
【請求項１４】
ハダニ、ボトリチス（ハイイロカビ）またはウドンコビョウ菌を制御するために使用されることを特徴とする請求項１〜１３のいずれか一に記載の植物活力剤。
【請求項１５】
バラ類、フリージア類、アルストロメリア、ハーブ類、トマト、トウガラシ類またはイチゴを活性化するために使用されることを特徴とする請求項１〜１４のいずれか一に記載の植物活力剤。
【発明の詳細な説明】
【技術分野】
【０００１】
本発明は、植物活力剤に関する。
【背景技術】
【０００２】
様々な化学物質を使用して、植物の成長を活性化して、その収量や生産性を増大させることはこれまで提案されてきているところである。そうした植物活力剤は、様々な病虫害に関連して植物を処置するのに使用されてきた。
【発明の開示】
【発明が解決しようとする課題】
【０００３】
本発明の目的とするところは、様々な病虫害に関連して農作物を安全に処置することを可能にする活力剤を提供するにある。
【課題を解決するための手段】
【０００４】
本発明は、リットル当たり次なる成分：
a.  10%〜33%のアニオン界面活性剤
b.  5%〜18%の非イオン性界面活性剤
c.  2%〜20%のエタノールまたはメチル化スピリットあるいはサイダービネガー
d.  25%〜60%の脱ミネラル化水溶液  
e.  0.01 ml〜4 mlの触媒酵素・グリコシド類・バニラエッセンスまたはアーモンドエッセンスまたはストロベリーエッセンス
f.  0.01〜1グラムの食品用着色剤 (BP) 
g.  0.01〜5グラムのラノリン、または0.5 ml〜15 mlのグリセリン、または0.5 ml〜5 mlのパラフィン油
を含有していることを特徴とする植物活力剤に関する。
【発明の効果】
【０００５】
本発明の植物活力剤は、汁吸昆虫を制御したり、菌類を処理するのに使用できて優れている。一方、その植物活力剤は、ヒトや動物の消化器官には何ら問題となる作用を示さない。さらにその植物活力剤は、特定のタイプの農作物を処理する場合にはさらに添加物を加えて生育を改善することができるという利点を有している。
【発明を実施するための最良の形態】
【０００６】
好ましくは、本発明の植物活力剤は、さらに、リットル当たり次なる成分：
50〜350グラムの尿素 (N) 46%
5〜60グラムの鉄キレート 13.2%
の一つまたはそれ以上を含有している。これにより、農作物の活力並びに青々とした状態を改善するという利点がある。
【０００７】
有利には、興味のある作物における必要性に応じてその混合物に次なる成分：
20〜150グラムのカリウム
10〜150グラムのリン酸塩
10〜110グラムのマグネシウム
0.5〜1グラムのマンガン
0.5〜1グラムのホウ素
0.2〜0.5グラムのモリブデン
0.2〜0.5グラムの亜鉛
1〜3グラムの銅
0.1〜0.5グラムのコバルト
リットル当たり5〜40ミリモルのo-アセトキシ安息香酸
のうちのいかなる一つまたはそれ以上を加えることもできる。
有利には、本発明の植物活力剤は、
25%のアニオン界面活性剤
13%の非イオン性界面活性剤
13%のエタノール
40%の脱ミネラル化水溶液
0.15 mlの触媒酵素・グリコシド類・バニラエッセンス
0.14グラムの食品用着色剤 (BP) 
0.19グラムのラノリン
260グラムの尿素 (N) 46%
40グラムの鉄キレート 13.2%
を含有しているものである。
【０００８】
好適には、本発明の植物活力剤は、
16%のアニオン界面活性剤
8%の非イオン性界面活性剤
8%のエタノール
58%の脱ミネラル化水溶液
0.08 mlの触媒酵素・グリコシド類・バニラエッセンス
0.055グラムの食品用着色剤 (BP) 
0.12グラムのラノリン
170グラムの尿素 (N) 46%
25グラムの鉄キレート 13.2%
を含有しているものである。
好ましい態様では、本発明の植物活力剤は、
20%のアニオン界面活性剤
10%の非イオン性界面活性剤
10%のエタノール
50%の脱ミネラル化水溶液
0.1 mlの触媒酵素・グリコシド類・バニラエッセンス
0.075グラムの食品用着色剤 (BP) 
0.153グラムのラノリン
220グラムの尿素 (N) 46%
30グラムの鉄キレート 13.2%
を含有している。
【０００９】
好ましくは、本発明の植物活力剤は、コナジラミ（オンシツコナジラミ）、アブラムシ類、コナカイガラムシ、カイガラムシ類、ヨコバイまたはアザミウマを制御するために使用される。
好ましい態様では、本発明の植物活力剤は、ハダニ、ボトリチス（ハイイロカビ）またはウドンコビョウ菌を制御するために使用されることができる。
有利には、本植物活力剤は、バラ類、フリージア類、アルストロメリア、ハーブ類、トマト、トウガラシ類またはイチゴを活性化するために使用される。
更に、例えば、カリウム、リン酸塩、マグネシウム、マンガン、ホウ素、モリブデン、亜鉛、銅、コバルトなどの栄養素を当該植物の必要性に応じて該植物活力剤に添加することができる。
上記した好ましい具体例に関連して作物を本活力剤で処理している実施例を記載する。
【実施例１】
【００１０】
作物：イチゴ
培養土：ピート・モジュールのハンギング
スプレー回数  ×３    日時：  ２００１年３月１１日
２００１年３月１５日
２００１年３月１９日
作物植物は、コナジラミ及びアブラムシ類にひどく侵されていた。第一回目のスプレーによりコナジラミとアブラムシの90% + を殺虫した。第二回目及び第三回目のスプレーによりコナジラミを100%殺虫し、僅かな%のアブラムシのみ（スプレーに対して生き残るように動くことのできなかったもの）を処置できた。
【実施例２】
【００１１】
作物：市販品のバラ
本発明の活力剤の第一回目の適用の前には本植物は、コナジラミの成虫及び卵、ハダニ、幼虫及び成虫のアザミウマ、ウドンコビョウ菌やボトリチスを有していた。また日照不足から植物の活力に問題があった。
第一回目の適用後、本発明の活力剤は、コナジラミの成虫の全てと幾らかの卵を駆除し、ハダニの成虫を部分的に殺虫し、その卵のおおよそ60% を殺した。ウドンコビョウ菌やボトリチスを完治せしめた。茎にいた幼虫のアザミウマを完全に駆除したが、成虫のアザミウマには作用しなかった。
第二回目の適用でコナジラミとハダニはすべて駆除され、幼虫のアザミウマやウドンコビョウ菌の兆候は一切なくなった。幾らかの成虫のアザミウマは残っていた。
【実施例３】
【００１２】
作物：温室栽培の1.4 エーカーのフリージア
３週間の間隔で本発明の活力剤を３回スプレーした。
スプレー回数  ×３    日時：  ２００１年１月２４日水曜日
２００１年２月１４日水曜日
２００１年３月７日水曜日
市販用フリージアの金属製温室0.8エーカーの区画並びに木製温室0.6エーカーの区画中で本発明の植物活力剤を使用した。12種のフリージアを生育させていた。フリージアは第一回目のスプレー時の摘み取りからおおよそ３週間それをしないでおいた。本フリージアを第一回目のスプレーの前に調べ、次に第一回目のスプレーの３日後より開始して９週間の間、週に一度調べた。第一回目のスプレーの前には、アブラムシの小さなポケットと非常に僅かなボトリチスがあった。本フリージアは健康そうであったが、日照不足に起因するわずかながら薄い緑色をしていた。
第一回目のスプレーで存在していたアブラムシの全てを殺虫し、ボトリチスも駆除できた。本フリージアは、窒素分並びに鉄分に好ましい応答性を示し、より青々とした濃い緑色になった。
第一回目のスプレーの後では、如何なるアブラムシも見られなくなり、ボトリチスも目で見たところ存在していなかった。試験期間中ずっと換気扇を日夜使用したが、ボトリチスの胞子は拡散しなかった。温度が３℃より低下した場合にのみ加熱用ボイラーのスイッチが入るようにセットし、基本的に霜を防ぐようにのみ使用した。戸外は湿気の多い条件で、加熱がなされていないことから、通常、より多くのボトリチスが発生したであろう。  試験区画に隣接した区画であって、本発明の活力剤を使用していない二つの小さな区画では、もっと沢山のボトリチスがみられ、ボトリチス用殺菌剤のElvaron を３回使用しなければならなかった。
【実施例４】
【００１３】
本発明の活力剤を使用して保護を受けているバラに対する効果を調べるため、特にはコナジラミやハダニに対する作用効果を定量的に調べるために、二種の予備的な試験を行った。
本発明の製品を慣用の水圧式スプレー装置を使用して葉の表面の両側に１リットルの本製品／500リットルの水の割合で適用した。おおよそ３日のスプレー間隔を以て3-スプレープログラムを行った。
【００１４】
サイト１
ラ・モエ・ローズ(La Moye Roses) 
本試験には、コナジラミにかかりやすい栽培株のKissを使用した。残念ながら最初の葉の試料を採取する前に第一回目のスプレーをしてしまった。処理効果を定量的に計るため第一回目のスプレーの後であって、最後のスプレーの後に中程の葉の試料をランダムに採取した。10枚の末端の若葉の試料を顕微鏡で観察し、害虫の数を数えた。
第一回目のスプレーでほとんどの成虫コナジラミが殺虫された。さらにスプレー処理しても視覚的には目立って改善はなかった。当該植物に対して明らかな植物毒性は何らなかった。葉は暗緑色であって、コナジラミの感染に伴い普通に見られる粘着性は無くて、葉の質において陽性の改善効果があった。また、黒ずんだカビ状のものの生育が減少している兆候があった。
【００１５】
【表１】
0004832711.tif 000002
【００１６】
本発明の製品は、卵やさなぎの段階よりも幼虫の段階で顕著な作用効果を示すと思われた。孵化を始めた卵は作用を受け、脱皮中の幼虫はほとんどが殺虫された。
【００１７】
サイト２
フラン・フィーフ・ワイナリー(Franc Fief Vinery) 
本試験では、顕著に高いレベルのコナジラミといくらかのハダニを有している栽培株のBiancaについて実施した。新規な殺アブラムシ/ コナジラミ用殺虫剤であるChess により予め２回処理を行った。本発明の活力剤の第一回目のスプレーの後、成体の害虫が顕著にノックダウンしていることを認めた。スプレーをかけると葉はよりきれいになり、スス病のカビ菌はその処理の後では減少していることが認められた。しかしながら、花弁は一緒にくっついており、折れ曲がらないようにはならないことからそのスプレーで花は作用を受けていた可能性があった。
【００１８】
【表２】
0004832711.tif 000003
【００１９】
本発明の製品は、幼虫の数を顕著に減少せしめた。
このサイトは、ハダニに感染されていた。すべての区画は本発明の活力剤の処理を一回受けた。該区画の中のより小さな領域はさらに２回スプレー処理されたが、残りの領域はAseptacarex及びApplaudにより処理された。これにより、ハダニに対する作用を殺ダニ剤であるAseptacarexと直接比較することが可能になった。
【００２０】
【表３】
0004832711.tif 000004
【００２１】
本発明の活力剤による場合は、Aseptacarexの場合と比較してハダニに対する活性を顕著に高めた。                                                                      これからわかるように、本発明の活力剤は成虫コナジラミを制御するのに有効であることが証明された。一回のスプレーで成虫を高い割合でノックダウンした。
【００２２】
別の面では、本発明は、保水手段手法に関する。
これまで水を保持するためのコンポストやその他の材料（また、これらは栄養成分などを含有するように改変を加えられてもいる）が提案されてきている。さらには、例えば、建物のパティオにおいて植物を育てるためのPVC製容器用コンポストやその他の材料も提案されてきている。
高いレベルで水分並びに栄養成分を保持し、温和な条件や乾燥気味の条件での使用に適した保水手段手法を提供することも本発明の目的の一つである。
【００２３】
したがって本発明は、13,800 cm3の容積当たり、次なる成分: 
a.   6〜12.5リットルの次のうちの一つ: 
ヤシガラ・コンポスト（ココ・コンポスト：コイア）、ピート、バーク、ロックウール、グラスウール、木の削りくず（かんなくず）又はおがくず、パーライト、バーミキュライト、腐葉土などのコンポジット化された廃棄物
b.   0〜140 グラム=0〜50容量% の乾いた裁断された紙
c.  10〜250 グラムの網目状にナトリウムを持つアクリルアミド・アクリレート・コポリマー
d.  10〜200 グラムのジエチレントリアミン五酢酸鉄・二ナトリウム(FeDTPA)（Feとして7%の鉄分を含有) 
e.  50〜400 グラムのUreaform (38% の窒素分を含有) 
f.  20〜300 グラムの硝酸アンモニウム (34.5% の窒素分を含有) 
g.   5〜50グラムのリン酸モノカリウム
h.   5〜30グラムの、適当な基剤中にある微量元素 (Fe, Mn, Zn, Cu, B, Mo, K) 
を有しており、該保水手段はさらに灌漑用パイプを備えていることを特徴とする保水手段に関する。
【００２４】
本保水手段は灌木又はブッシュの近くの土壌中に埋められていて水や栄養成分の供給源となることができて有利である。さらには、本保水手段を埋めておくと、灌漑用パイプを通して水やりをすることが可能であり、水を容器に入れて地表に置いておく必要がない。  好ましくは灌漑用パイプは硬いPVC製のパイプ、金属製のパイプあるいは平たいプラスチック材料製の管で、穴が付けられているものであってよい。該灌漑用パイプは多くの容器（コンテナ）に水を供給することのできる一つの入口部に連結されたものである。もし幾つかの容器が一つの灌木、ブッシュ又は木、あるいは幾つかの灌木、ブッシュ又は木のまわりに置かれているなら、一つの入口部によりそれらに水を供給することができる。
好適には、本発明の保水手段の中身は、圧縮せしめられたコイア、ピート、バーク、ロックウール、木の削りくず（かんなくず）又はおがくず、パーライト、バーミキュライト、あるいは腐葉土などのコンポジット化された廃棄物を使用して保持されることができる。
好適には、本発明の保水手段は、容器により保持される。これは該保水手段中に水分をより保持する上で有利である。
【００２５】
有利には該容器は次の材料：  ポリエチレン、ポリプロピレン、プラスチック材料、ボード、カードボード、木、紙
のうちの如何なるものから作られていてもよい。
優れたものとしては本発明の容器は、カードボードから作られているもので、これにより生物により分解されることができるという点で優れている。
【００２６】
好ましい態様では本発明の保水手段は、
a.   12.5 リットルのヤシガラ・コンポスト（ココ・コンポスト：コイア）
b.    70グラム−25容量%の乾いた裁断された紙
c.    50グラムの網目状にナトリウムを持つアクリルアミド・アクリレート・コポリマー
d.    50グラムのジエチレントリアミン五酢酸鉄・二ナトリウム(FeDTPA)
e.   200グラムのUreaform
f.   100グラムの Nitram 硝酸アンモニウム  
g.    15グラムのリン酸モノカリウム
h.    10グラムの微量元素
を有していることを特徴とする。
【００２７】
該容器は使用時には好ましくは砂／土の表面の下、数十センチメーターのところに配置され、灌水用パイプはその表面を貫通して突き出て灌水ができるようになっている。
該容器の使用例を以下に示す：
土のないコンポストを修正したり、
苗床などのための土壌を修正したり、
根の出た挿し木苗、実生苗木、苗床に植えられている植物を移植したり、また
木や灌木を移植したりする。
【００２８】
本発明にしたがって作られた保水手段の実施例としては、400 mm x 300 mm x 115 mm(外側を測定) のテストボード製のコンテナが挙げられ、それは次のもの: 
1.   12.5 リットルのヤシガラ・コンポスト（ココ・コンポスト：コイア）
2.    70グラム−25容量%の乾いた裁断された紙
3.    50グラムのSupersorb (組成: 網目状にナトリウムを持つアクリルアミド・アクリレート・コポリマー) 
4.    50グラムのLibrel Fe-DP Chelate (Feとして7%の鉄分を含有, 化学名: ジエチレントリアミン五酢酸鉄・二ナトリウム(FeDTPA)) 
5.   200グラムのNitroform (化学名: Ureaform−38%N) 
6.   100グラムの Nitram (化学名: 硝酸アンモニウム−34.5%N) 
7.    15グラムのリン酸モノカリウム(工業用) 
8.    10グラムのFrit 253 微量元素
を有しており、その頂部から突き出ているPVC 製の灌水用パイプを備えていることを特徴とする。
【００２９】
該カードボードボックスは、その長さ、幅、及び深さはそれを変えることができ、例えば、１： 200 mm x 150 mm x 80 mm (外側を測定) − 2,400 cm3  又は２： 1200 mm x 900 mm x 345 mm (外側を測定) − 372,600 cm3とすることができる。
そのカードボードはより厚くすることもあるいはより薄くすることもでき、例えば、１： 112/112/112 (シングル又はダブルフルーティング) 又は２： 300/200/300 (シングルフルーティング) 又は３： 300/150/300 (ダブルフルーティング) とすることができる。
本容器（コンテナ）は、第一には、不毛な領域を青々と茂った緑豊かな農園に変える助けをするようにデザインされる。その主な役割は水分を保ち、樹木、ブッシュ、灌木、そして植木の根の部分を取り巻く砂や土の湿気を保ち、涼しくすることによりそれを保護することにある。
【００３０】
本容器は、不毛な領域のために配合された混合物（ミックス）を含んでおり、そのミックスは制御された湿気状態に該容器を保持して、該容器に直接水を適用された場合はいつでも冷却作用をなし、栄養成分を容易に利用可能とする。またこれは植物の根を健康に保ち、秩序立った正しい水やりをしなかったことによる乾燥あるいは塩害による葉焼けによって一層悪い状態になることを防ぐ。
本容器の究極の目的は水を保持し、緑色に且つ健康に生育せしめることにある。天然のコイア、すなわち効果持続型の土壌改善剤(これは毛細管を持つマトリックスと混合された天然のリグニンを60% 含有している)の配合物が使用される。本容器はNPK＋微量元素を、「窒素固定」を生起せしめることのできる微生物活性によって起こされるかもしれない窒素不足を克服するために添加されている余分の窒素と一緒に配合してある混合物（ミックス）を含んでいる。
本容器は最終的には砂／土を強化してそして水並びに栄養成分（栄養素）のより良い保持のための構造を作り上げるというその第二の役割を遂行したなら壊れて分解する。
容器（コンテナ）の寿命は、おおよそ３年ほどで、これは本特別なるミックスの崩壊して分解する期間を制御することができるという能力によるものである。その栄養成分の持続時間はおおよそ12ケ月であるが、栄養素のレベルは該容器の残りの寿命にわたりコスト的に有効であるようにしていっぱいに満たされるようにすることが容易にできる。
【００３１】
本容器（コンテナ）は次のような利点を有している：
生分解可能である
灌水量及び灌水回数を減らす
水の蒸散を顕著に減らす
栄養素供給システムをゆっくりと放出する
緑で健康的な生育を刺激するものである
砂／土を冷涼で水分を含んだ状態に保つのを助ける
根の部分のまわりのpHを低くし、そして温度を制御する
長期間持続する効果を有する砂／土を改善するものである
土壌の通気並びに構造を改善する
微生物叢の活性を活発にする
栄養成分のレベルを容易にいっぱいに満たされるようにできる。
【００３２】
本容器（コンテナ）は樹木、ブッシュや灌木の存在している所に使用されてより健康状態での成長を増進し、そして莫大な量の貴重な水を節約することができる。これにより余分に水を使用することなく、より多くの場所に植物を植えることを可能にする。
図１には本容器（コンテナ）を使用する例が示してあり、そこでは適度な数の容器（コンテナ）がブッシュ、灌木あるいは樹木のまわりに水平に埋められてブッシュ、灌木あるいは樹木の大きさに合うようにされている。図1Aは小型〜中型の大きさのブッシュまたは灌木のまわりに配置された二つの容器を示している。図1Bは小型の木からなる大きなブッシュまたは灌木のまわりに配置された三つの容器を示している。図1Cは中型の大きさの木のまわりに配置された四つの容器を示している。図1Dは大型の木のまわりに配置された六つの容器を示している。図２には本容器（コンテナ）の頂部を砂／土のレベルよりおおよそ10 cm 下のところになるように配置して使用する場合の容器を示してある。灌漑用のパイプはその土または砂の表面を貫通して突き出ている。関連した灌水用のセクションに結合せしめられている。各容器（コンテナ）には最初の水やりで少なくとも12リットルの水が入り、十分に飽和せしめられる。
一年後には栄養成分の混合物が緑の農園を維持するように各容器（コンテナ）に加えられる。その灌水用のノズルを除去し、栄養成分の錠剤をチューブの中に落として入れ、次にプランジャーでもって容器の中に押し込んで入れ，そして該灌水用のノズルを置き換える。この操作は、該容器（コンテナ）の残りの２年の寿命の間、６ケ月毎に繰り返される。
【図面の簡単な説明】
【００３３】
【図１】本容器（コンテナ）を使用する例である。
【図２】本容器（コンテナ）の頂部を砂／土のレベルよりおおよそ10 cm 下のところになるように配置して使用する場合の容器を示す。
【図１】
0004832711.tif 000005
【図２】
0004832711.tif 000006